(57)【特許請求の範囲】
【請求項１】
本体を構成する断熱壁と、この断熱壁の前壁の後方に水平に設けられて吸込孔を形成した吸込パネルと、前記吸込パネルにポップカードを支持するため設けられたポップカード支持具と、前記吸込パネルの下方に設けられたホルダー支持部材とを備えるショーケースにおいて、前記吸込パネルには前部及び後部に挿入孔が、前記ホルダー支持部材には折曲部と固定孔とがそれぞれ設けられ、前記吸込孔又は挿入孔の下方に前記固定孔が前後に設けられており、前記ポップカード支持具はポップレール支持部材を前記吸込パネルに設けられた前部又は後部挿入孔に挿入すると共に、ポップレール支持部材の下部は前記ホルダー支持部材に設けられた固定孔を貫通し、前記折曲部により押圧されていることを特徴とするショーケース。
【発明の詳細な説明】
【０００１】
【発明の属する技術分野】
本発明は前壁の後方にポップカード支持具が設けられている冷却ショーケースに関する。
【０００２】
【従来の技術】
従来この種の冷却ショーケースは、たとえば特開平９−１５２２５９号公報に記載されている。この冷却ショーケースにおける第１の従来例としての表示装置は、開口下縁に吸込通路とその前側に凹所を備えたショーケースに採用されるもので、左右に位置して上下に延在する一対の前支柱部と各前支柱部の後側に間隔を存して上下に延在する一対の後支柱部と各前後支柱部をそれぞれ連結する一対の連結部と前支柱部の上後方に位置して左右に渡る上梁部とを有したポップカード支持具と、上梁部にその上部が着脱自在に係合する表示板とを備えており、各後支柱部を吸込通路に挿入可能とし、各前支柱部を凹所に挿入可能としたものである。この状態において、表示板をホルダの上梁部に係合させることにより、上部が後退した傾斜状態で表示板をショーケースの開口下縁に保持させて、極めて簡単な構成のホルダにより、ショーケースの高さ寸法などに応じて表示板を異なる傾斜状態でショーケースに取り付けることを可能とし、コストの低減と利便性の向上を図ることができるようになるものであった。
【０００３】
また、第２の従来例としての冷却ショーケースの吸込孔ガード１４３に係る構造を説明する。図６は、かかる従来の冷却ショーケース下部の要部断面図である。冷却ショーケースの下部の前壁１０７の上端部の通風口１２７には、略長円形のガード部１４３Ａと、このガード部１４３Ａを支持するためのガード支持部１４３Ｂとから構成され、共に線材から形成された吸込通路ガード１４３が立設されている。前記ガード支持部１４３Ｂは、略垂直な垂直部１４３Ｃと、この垂直部から下方に延在した後、前方に略く字状に折曲された後更に折曲され垂直に延在した折曲部１４３Ｄとから成るものである。そして、この吸込通路ガード１４３は、その垂直部１４３Ｃが吸込パネル１３３の後部に設けられた固定孔１３３Ａを貫通した後、吸込パネル１３３の後部１３３Ｂ及び前壁１０７の後面１０７Ａ内面に吸込通路ガード１４３の垂直部１４３Ｃと折曲部１４３Ｄとが押圧されることにより立設されている。この吸込通路ガード１４３により、載置板２４に載置された商品が前方に飛び出し、吸込通路を閉塞するのを防止している。
【０００４】
【発明が解決しようとする課題】
しかしながら、第１の従来例においては、各後支柱部を吸込通路に挿入可能とし、各前支柱部を凹所に挿入可能としたものであるので、強固に固定されず、ポップカード支持具が倒れて、広告を表示できないことがあった。
【０００５】
また、第２の従来例においては、吸込通路ガード１４３は、吸込パネル１３３の後部に設けられた固定孔１３３Ａを貫通して吸込パネル１３３の後部１３３Ｂ及び前壁１０７の後面１０７Ａ内面に吸込通路ガード１４３の垂直部１４３Ｃと折曲部１４３Ｄとが押圧されて立設されるものであるので、吸込通路ガード１４３自体に強度が必要であり、そのため大径の線材を使用していたためコストの高いものとなっていた。
【０００６】
本発明はこのような問題を解決するためになされたもので、ポップカード支持具を確実に固定できるようにすると共に、さらに、安価でしかもポップカード支持具としても吸込通路ガードとしても使用できるようにすることを目的とするものである。
【０００７】
【課題を解決するための手段】
この発明のショーケースは、本体を構成する断熱壁と、この断熱壁の前壁の後方に水平に設けられて吸込孔を形成した吸込パネルと、前記吸込パネルにポップカードを支持するため設けられたポップカード支持具と、前記吸込パネルの下方に設けられたホルダー支持部材とを備えるものであって、前記吸込パネルには前部及び後部に挿入孔が、前記ホルダー支持部材には折曲部と固定孔とがそれぞれ設けられ、前記吸込孔又は挿入孔の下方に前記固定孔が前後に設けられており、前記ポップカード支持具はポップレール支持部材を前記吸込パネルに設けられた前部又は後部挿入孔に挿入すると共に、ポップレール支持部材の下部は前記ホルダー支持部材に設けられた固定孔を貫通し、前記折曲部により押圧されているものである。
【０００８】
本発明によれば、ポップカード支持具の上方は吸込パネルに設けられた吸込孔又は挿入孔に吸込パネルには前部及び後部に挿入孔が、前記ホルダー支持部材には折曲部と固定孔とがそれぞれ設けられ、前記吸込孔又は挿入孔の下方に前記固定孔が前後に設けられており、前記ポップカード支持具はポップレール支持部材を前記吸込パネルに設けられた前部又は後部挿入孔に挿入すると共に、ポップレール支持部材の下部は前記ホルダー支持部材に設けられた固定孔を貫通し、前記折曲部により押圧されているので、ポップカード支持具の上方は吸込パネルに設けられた吸込孔又は挿入孔により、下方はホルダー支持部材の固定孔により固定され、しかもホルダー支持部材に形成された折曲部によりポップカード支持具が押圧されているため、ポップカード支持具が揺らぐことがなく確実に固定される。
【０００９】
【発明の実施の形態】
次に、本発明における冷却ショーケースの実施の形態を説明する。尚、第２の従来例と構成的に同一又は相当する部分には、同一の符号を付す。
【００１０】
図１は本発明にかかる冷却ショーケースの側断面図、図２はポップカード支持具が吸込パネルの前挿入孔に挿入されている状態を示す拡大断面図、図３はポップカード支持具が吸込パネルの後挿入孔に挿入されている状態を示す拡大断面図、図４はポップカード支持具が吸込パネルの前後挿入孔に挿入されている状態を更に拡大した断面図、図５はポップカード支持具が吸込孔に設けられている状態を示す斜視図である。
【００１１】
まず初めに、冷却ショーケース１の全体構成について説明する。冷却ショーケース１の前上方には、商品収納および取出用の開口２が形成されているとともに、冷却ショーケース１の本体は、前壁７、上壁８、後壁９、底壁１０および図示しない左右の側板からなり、これら前壁７等の内部にはたとえば発泡ポリウレタン等の発泡樹脂が断熱材として充填され、断熱壁１１を構成している。また、冷却ショーケース１の本体の下側には複数の脚部１２が設けられている。
【００１２】
そして、断熱壁１１の内面より適当な間隔を有して、塗装鋼板やステンレスなどの錆びない金属板からなる区画天板１３、区画壁板１４および区画床板１５が配設されている。これら区画天板１３、区画壁板１４および区画床板１５と断熱壁１１との間の空間が冷気流路１６となる。区画天板１３、区画壁板１４および区画床板１５で囲まれた陳列室１８には、多段の商品陳列棚１９が設けられている。
【００１３】
そして、冷気流路１６内の区画床板１５の下側には、冷却器２１及び冷却器用送風機１７が配置されている。この冷却器２１には、冷却ショーケース１とは別体に配置されている凝縮器および圧縮機などからなる冷凍機（図示しない）から冷媒が供給されており、低温度とされている。そして、冷却器用送風機１７が回転すると、冷気流路１６内の空気は、図１に図示する矢印の方向に送風され、冷気流路１６に流入した空気は冷却器２１で冷却されて、冷気吐出口２３から陳列室１８内に吐出されている。
【００１４】
そして、冷気吐出口２３から吐出した冷気は、陳列室１８の前面すなわち商品収納および取出用の開口２においてエアーカーテン２６を形成するとともに陳列室１８内を冷却し、区画床板１５の前上方に形成された吸込通路２７から吸い込まれて冷気流路１６内に戻ってくる。この様にして、空気は循環している。
【００１５】
断熱壁１１の前壁７の前面は、フロントパネル３１で覆われている。ハンドレール３２は、ＡＢＳ樹脂を押出し発泡成型した後、両端を切断加工して形成されたもので、このハンドレール３２により、前記断熱壁１１の前壁７の上端部が覆われている。断熱壁１１の前壁７の後面には、吸込パネル３３が配置され、吸込孔３３Ｅが形成されている。これら断熱壁１１の前壁７、フロントパネル３１及びハンドレール３２が、冷却ショーケース１の前面壁３４を構成している。
【００１６】
吸込パネル３３は、区画床板１５の前端からハンドレールと略同等の高さまで上方に延在した略垂直な垂直部３３Ａと、この垂直部３３Ａの上端から前方に折曲された略水平な水平部３３Ｂと、この水平部３３Ｂの前端から下方に延在した前面部３３Ｃから成り、この吸込パネル３３と前面壁３４とにより吸込通路２７を形成している。吸込パネルの垂直部３３Ａには上下に複数の挿入孔３３Ｄが設けられている。水平部３３Ｂには前述の吸込孔３３Ｅが設けられており、更にこの水平部３３Ｂには、前挿入孔３３Ｆ、後挿入孔３３Ｇが前後に設けられている。尚、吸込パネル３３の前面部３３Ｃの下端はハンドレール３２の後部に設けられた後部突出部３２Ａにより支持されている。
【００１７】
区画床板１５の上方には更に載置板２４が配設されている。この載置板２４は、ワイヤを格子状に構成して強度を向上させたワイヤラック３６の上に載置され、この載置板２４の上に販売用の商品が載置される。ワイヤラック３６はその格子状の脚部３６Ａを、吸込パネル３３の所定の挿入孔３３Ｄに挿入することにより販売商品の量に応じて上下位置を変更できるようにされている。尚、本実施の形態では、吸込パネル３３の最上端の挿入孔３３Ｄにワイヤラック３６の脚部３６Ａを挿入し、載置板２４が最も上に位置している状態を示している。
【００１８】
吸込通路２７には、吸込パネル３３の下方にホルダー支持部材３９が設けられている。このホルダー支持部材３９は、吸込パネル３３の垂直部３３Ａに螺子４０により固定された略垂直な後部３９Ａと、上部の略水平な上部水平部３９Ｂと、この上部水平部３９Ｂの前端から鋭角に折曲された前折曲部３９Ｃとから成るものである。後部３９Ａには略く字状に折曲された後折曲部３９Ｄが設けられている。上部水平部３９Ｂには、前述の後挿入孔３３Ｇの下方の少許後方に位置して後固定孔３９Ｅが、また、前述の前挿入孔３３Ｆの下方の少許前方に位置して前固定孔３９Ｆがそれぞれ複数設けられている。尚、このホルダー支持部材３９は小片であるので、吸込通路２７への空気の流入を阻害しないようにされている。
【００１９】
次に、ポップカード支持具４３について説明する。ポップカード支持具４３は、線材を長円状に形成したポップレール４３Ａと、左右両端部のポップレール支持部材４３Ｂと、このポップレールの中央部に上下に渡って結合された中央部材４３Ｃとから構成されるものである。ポップレール支持部材４３Ｂは、略Ｊ字状のもので、Ｊの字を上下逆さにして左右対称にポップレール４３Ａに結合されている。
【００２０】
以上の構成により、ポップレール支持部材４３Ｂを吸込パネル３３に設けられた前挿入孔３３Ｆ又は後挿入孔３３Ｇに挿入することによりポップカード支持具４３は立設される。
【００２１】
図２に示す如く、ポップカード支持具４３のポップレール支持部材４３Ｂを前挿入孔３３Ｆに挿入すると、ポップレール支持部材４３Ｂの下部はホルダー支持部材３９に設けられた前固定孔３９Ｆを貫通し、更に前折曲部３９Ｃに当接する。このとき、前述の如く、上部水平部３９Ｂには吸込パネル３３の前挿入孔３３Ｆの下方の少許前方に位置して前固定孔３９Ｆが設けられているので、この前固定孔３９Ｆの端部によりポップレール支持部材４３Ｂは前方に押されると共に、このホルダー支持部材３９の前折曲部３９Ｃにより後方に押されることになり、ポップカード支持具４３は吸込パネル３３及びホルダー支持部材３９によって強固に立設し、固定される。
【００２２】
また、図３に示す如く、ポップカード支持具４３のポップレール支持部材４３Ｂを後挿入孔３３Ｇに挿入すると、ポップレール支持部材４３Ｂの下部はホルダー支持部材３９に設けられた後固定孔３９Ｅを貫通し、更に後折曲部３９Ｄに当接する。このとき、前述の如く、上部水平部３９Ｂには吸込パネル３３の後挿入孔３３Ｇの下方の少許後方に位置して後固定孔３９Ｅが設けられているので、この後固定孔３９Ｅの端部によりポップレール支持部材４３Ｂは後方に押されると共に、このホルダー支持部材３９の後折曲部３９Ｄにより前方に押されることになり、ポップカード支持具４３は吸込パネル３３及びホルダー支持部材３９によって強固に立設し、固定される。
【００２３】
このようにして、必要に応じて複数のポップカード支持具４３が吸込パネル３３の前挿入孔３３Ｆ又は後挿入孔３３Ｇに立設され、このポップカード支持具４３に商品の宣伝などを記載したポップカード４５を取り付けることにより、販売を促進させることができる。さらに、吸込パネル３３及びホルダー支持部材３９の２つの部材によって強固に立設されているので、ポップカード支持具４３の線材自体を小さい径のもので製造することも可能であり、材料費を減少させることができる。
【００２４】
ここで使用されるポップカード４５は、透明な樹脂板で構成され、上端部にはフック状の係合部４５Ａが形成され、ポップカード支持具４３の上端に係合するものである。そして、ポップカード４５の下端部には略１８０°に折り曲げられた折り重ね部４５Ｂが形成され、係合部４５Ａとこの折り重ね部４５Ｂとの間が平板状の表示部４５Ｃとなっており、この表示部４５Ｃの後側に、ポップすなわち商品の宣伝などを記載した表示板４７が取り付けられる。
【００２５】
吸込パネル３３の前挿入孔３３Ｆにポップカード支持具４３を挿入した場合には、次のようにポップカード４５（表示板４７）を表示することができる。ポップカード支持具４３の上端に引っ掛けられると、図２に示す如く、その折り重ね部４５Ｂはハンドレール３２に載置されるので前下がりに傾斜し、表示板４７が見えやすくなる。
【００２６】
一方、ポップカード支持具４３を吸込パネル３３の後挿入孔３３Ｇに挿入した場合には、次のようにポップカード４５（表示板４７）を表示することができる。この場合、ポップカード４５は前述のポップカード４５より短くされており、ポップカード支持具４３の上端に引っ掛けられると、図３に示す如く、略直立になる。従って、ポップカード４５が吸込通路２７を閉塞しないようにされており、しかも、ポップカード支持具４３が商品による吸込通路２７の閉塞を防止する。このように、ポップカード支持具４３が吸込パネル３３の後挿入孔３３Ｇに立設され、このポップカード支持具４３にポップカード４５が取り付けられた場合も、吸込パネル３３の前挿入孔３３Ｆに立設された場合と同様に、販売を促進させることができ、しかも、載置板２４に載置された商品は、ポップレールに接触して吸込通路２７より前方に来ないので、商品が吸込通路２７を閉塞しない。
【００２７】
尚、ポップカード支持具４３を前後に反転させてポップレール４３Ａを後方に向けてから、吸込パネル３３の後挿入孔３３Ｇに立設し、このポップカード支持具４３にポップカード４５を取り付けた場合には、突出する中央部材４３Ｃが前方に位置するので、ポップレール４３Ａの直線部分に接触させることにより商品を直線的に展示することができると共に、商品による吸込通路２７の閉塞を防止できる。
【００２８】
尚、以上の実施の形態では、ポップレール支持部材４３Ｂを吸込パネル３３に設けられた前挿入孔３３Ｆ又は後挿入孔３３Ｇに挿入することによりポップカード支持具４３を立設したが、ポップレール支持部材４３Ｂを吸込パネル３３に設けられた吸込孔３３Ｅに挿入し、下方のホルダー支持部材に設けられた後固定孔３９Ｅ又は前固定孔３９Ｆを貫通し、折曲部３９Ｄ又は３９Ｃに当接させて押圧することによりポップカード支持具４３を立設することも可能であり、その場合もポップカード支持具４３を確実に固定することができる。
【００２９】
【発明の効果】
以上詳述したように、本発明によれば、ポップカード支持具の上方は吸込パネルに設けられた吸込孔又は挿入孔に吸込パネルには前部及び後部に挿入孔が、前記ホルダー支持部材には折曲部と固定孔とがそれぞれ設けられ、前記吸込孔又は挿入孔の下方に前記固定孔が前後に設けられており、前記ポップカード支持具はポップレール支持部材を前記吸込パネルに設けられた前部又は後部挿入孔に挿入すると共に、ポップレール支持部材の下部は前記ホルダー支持部材に設けられた固定孔を貫通し、前記折曲部により押圧されているので、ポップカード支持具の上方は吸込パネルに設けられた吸込孔又は挿入孔により、下方はホルダー支持部材の固定孔により固定され、しかもホルダー支持部材に形成された折曲部によりポップカード支持具が押圧されているため、ポップカード支持具が揺らぐことがなく確実に固定される。
【図面の簡単な説明】
【図１】  本発明にかかる冷却ショーケースの側断面図である。
【図２】  ポップカード支持具が吸込パネルの前挿入孔に挿入されている状態を示す拡大断面図である。
【図３】  ポップカード支持具が吸込パネルの後挿入孔に挿入されている状態を示す拡大断面図である。
【図４】  ポップカード支持具が吸込パネルの前後挿入孔に挿入されている状態を更に拡大した断面図である。
【図５】  ポップカード支持具が吸込通路に設けられている状態を示す斜視図である。
【図６】  従来例を示す要部拡大断面図である。
【符号の説明】
１  冷却ショーケース
２  商品収納および取出用開口
７  前壁
１１  断熱材
１８  陳列室
２３  冷気吐出口
２４  載置板
２７  吸込通路
３２  ハンドレール
３３  吸込パネル
３３Ａ  垂直部
３３Ｂ  水平部
３３Ｃ  前面部
３３Ｄ  挿入孔
３３Ｅ  吸込孔
３３Ｆ  前挿入孔
３３Ｇ  後挿入孔
３９  ホルダー支持部材
３９Ａ  後部
３９Ｂ  上部水平部
３９Ｃ  前折曲部
３９Ｄ  後折曲部
３９Ｅ  後固定孔
３９Ｆ  前固定孔
４３  ポップカード支持具
４３Ａ  ポップレール
４３Ｂ  ポップレール支持部材
４５  ポップカード
４７  表示板
【図１】
0004104280.tif 000002
【図２】
0004104280.tif 000003
【図３】
0004104280.tif 000004
【図４】
0004104280.tif 000005
【図５】
0004104280.tif 000006
【図６】
0004104280.tif 000007